(57)【特許請求の範囲】
【請求項１】
本体部に設けた貯蔵室から収納ケースを引き出して貯蔵物を出し入れする冷蔵庫において、
前記貯蔵室の両側壁に前後に延びて設けられる本体レールと、
前記本体レールに対して前後に摺動自在に配されるケースレールと、
前記ケースレールを前後に摺動自在に支持して前記収納ケースの両側面に着脱自在に取り付けられるケースフレームと、
前記ケースレールを係止して前記本体レールに対して前記ケースレールの前端位置を位置決めする第１ストッパ部と、
前記ケースフレームを係止して前記ケースレールに対して前記ケースフレームの前端位置を位置決めする第２ストッパ部とを備え、
第２ストッパ部は、前記収納ケースに設けられた第１突設部と前記ケースレールに設けられた突起部との当接によってなり、
第１突設部は前記ケースフレームの孔部を挿通して前記ケースレール側に突出し、
前記ケースフレームは収納ケースと第１突設部付近で取り付けられていることを特徴とする冷蔵庫。
【請求項２】
前記収納ケースを複数設け、一の前記収納ケースの第２ストッパは第１突設部を有するとともに、他の前記収納ケースの第２ストッパ部は、前記ケースフレームの孔部よりも後方の位置に設けた第２突設部と前記ケースレールの突起部との当接によってなることを特徴とする請求項１に記載の冷蔵庫。
【請求項３】
ボスを設けたケースホルダーを備え、
前記収納ケースの側壁にボス孔を設け、
前記収納ケースの内側から前記ボスを前記ボス孔に通し、
前記ケースフレームは前記収納ケースを挟んで前記ホルダーの前記ボスにネジ止めしたことを特徴とする請求項１または請求項２に記載の冷蔵庫。
【請求項４】
前記ケースフレームは複数の前記孔部を前記収納ケースの引き出し方向に並設されるとともに、前記収納ケースを複数設け、一の前記収納ケースと他の前記収納ケースとは第１突設部が引き出し方向に異なる位置に設けられることを特徴とする請求項１に記載の冷蔵庫。
【請求項５】
前記ケースレールと摺動する前記ケースフレームの上壁に下面が接する支持部を前記収納ケースの両側面に突設したことを特徴とする請求項１〜請求項４のいずれかに記載の冷蔵庫。
【発明の詳細な説明】
【技術分野】
【０００１】
本発明は、引き出し式の収納ケースを有する冷蔵庫に関する。
【背景技術】
【０００２】
従来の冷蔵庫は特許文献１に開示されている。この冷蔵庫は貯蔵室を開閉する扉と一体に収納ケースが設けられ、扉とともに収納ケースを引き出し可能になっている。貯蔵室の両側壁には、前部に配される本体ローラと、前後に延びる本体レールとが設けられる。収納ケースの両側壁には、後部に配されて本体レールと滑動する扉ローラと、前後に延びて本体ローラと滑動する扉レールとが設けられる。収納ケースは本体ローラ及び扉ローラにより前後を支持され、円滑に引き出すことができるようになっている。
【０００３】
【特許文献１】特許第３６１９５８９号公報
【発明の開示】
【発明が解決しようとする課題】
【０００４】
しかしながら、上記従来の冷蔵庫によると、本体ローラ及び扉ローラが扉レール及び本体レールと接触している必要があるため収納ケースを後端まで引き出すことができない。このため、収納ケース内の視認性が悪く、冷蔵庫の利便性が悪い問題があった。収納ケースの後方に突出して扉レール及び扉ローラを設けると収納ケースを後端まで引き出すことが可能であるが、収納ケースの容量が低下する。また、奥行の異なる複数の収納ケースが設けられる場合に、長さの異なる扉レールをそれぞれ設ける必要がある。このため、冷蔵庫のコストが大きくなる問題もあった。
【０００５】
本発明は、利便性を向上できるとともにコストを削減できる冷蔵庫を提供することを目的とする。
【課題を解決するための手段】
【０００６】
上記目的を達成するために本発明は、本体部に設けた貯蔵室から収納ケースを引き出して貯蔵物を出し入れする冷蔵庫において、前記貯蔵室の両側壁に前後に延びて設けられる本体レールと、前記本体レールに対して前後に摺動自在に配されるケースレールと、前記ケースレールを前後に摺動自在に支持して前記収納ケースの両側面に着脱自在に取り付けられるケースフレームと、前記ケースレールを係止して前記本体レールに対して前記ケースレールの前端位置を位置決めする第１ストッパ部と、前記ケースフレームを係止して前記ケースレールに対して前記ケースフレームの前端位置を位置決めする第２ストッパ部とを備え、第２ストッパ部は、前記収納ケースに設けられた第１突設部と前記ケースレールに設けられた突起部との当接によってなり、第１突設部は前記ケースフレームの孔部を挿通して前記ケースレール側に突出し、前記ケースフレームは収納ケースと第１突設部付近で取り付けられていることを特徴としている。
【０００７】
この構成によると、収納ケースは、本体レールに対してケースレールが摺動し、ケースレールに対してケースフレームが摺動して出し入れされる。収納ケースを引き出すと、本体レール側及びケースレール側にそれぞれ設けた第１ストッパ部が当接してケースレールが前端に配置され、ケースレール側及びケースフレーム側にそれぞれ設けた第２ストッパ部が当接してケースフレームが前端に配置される。これにより、収納ケースが前端位置に配置される。第２ストッパ部は収納ケースの両側面に突設して孔部を介してケースフレームから突出する第１突設部と、ケースレールに設けた第１突設部に当接する部位とから成る。尚、貯蔵室の前面を開閉する扉と一体に収納ケースを形成してもよい。
【０００８】
また本発明は、上記構成の冷蔵庫において、前記収納ケースを複数設け、一の前記収納ケースの第２ストッパは第１突設部を有するとともに、他の前記収納ケースの第２ストッパ部は、前記ケースフレームの孔部よりも後方の位置に設けた第２突設部と前記ケースレールの突起部との当接によってなることを特徴としている。
【０００９】
この構成によると、一の収納ケースは収納ケースに突設される第１突設部がケースレールに当接して前端に配される。他の収納ケースはケースフレームに突設される第２突設部がケースレールに当接して前端に配される。これにより、各収納ケースの前端位置を異ならせることができる。また本発明は、ボスを設けたケースホルダーを備え、前記収納ケースの側壁にボス孔を設け、前記収納ケースの内側から前記ボスを前記ボス孔に通し、前記ケースフレームは前記収納ケースを挟んで前記ホルダーの前記ボスにネジ止めしたことを特徴とする。
【００１０】
また本発明は、上記構成の冷蔵庫において、前記ケースフレームは複数の前記孔部を前記収納ケースの引き出し方向に並設されるとともに、前記収納ケースを複数設け、一の前記収納ケースと他の前記収納ケースとは第１突設部が引き出し方向に異なる位置に設けられることを特徴としている。
【００１１】
この構成によると、一の収納ケースは収納ケースに突設される第１突設部がケースレールに当接して前端に配される。他の収納ケースは一の収納ケースと異なる位置に第１突設部が設けられ、ケースフレームの異なる孔部に挿通されるに突設される第１突設部がケースレールに当接して前端に配される。これにより、各収納ケースの前端位置を異ならせることができる。
【００１２】
また本発明は、上記構成の冷蔵庫において、前記ケースレールと摺動する前記ケースフレームの上壁に下面が接する支持部を前記収納ケースの両側面に突設したことを特徴としている。この構成によると、ケースレールはケースフレームに囲まれ、ケースレールの上面とケースフレームの上壁とが摺動する。収納ケースの前部を下方に加重した際に、ケースフレームの上壁及び収納ケースに突設した支持部がケースレールから上方に力を受ける。
【発明の効果】
【００１６】
本発明の冷蔵庫によると、貯蔵室の両側壁に配される本体レールと、本体レールに対して摺動するケースレールと、ケースレールを摺動可能に支持して収納ケースに着脱自在に取り付けられるケースフレームとを設けたので、収納ケースを後端まで引き出すことができる。従って、冷蔵庫の利便性が向上する。
【００１７】
また、ケースフレームが着脱自在に取り付けられ、ケースフレームを係止する第２ストッパ部が収納ケースに突設してケースフレームの孔部に挿通される第１突設部を有するので、第１突設部の位置や形状を可変して奥行の異なる収納ケースに同じケースフレーム、ケースレール及び本体レールを用いることができる。従って、冷蔵庫のコストを削減することができる。
【００１８】
また本発明の冷蔵庫によると、収納ケースに突設した第１突設部により第２ストッパ部を構成した収納ケースと、ケースフレームに突設した第２突設部により第２ストッパ部を構成した収納ケースとを設けたので、奥行の異なる収納ケースに対して同じケースフレームを用いることができる。
【００１９】
また本発明の冷蔵庫によると、ケースフレームに複数の孔部を設け、複数の収納ケースの第１突設部の位置が異なるので、奥行の異なる収納ケースに対して同じケースフレームを用いることができる。
【００２０】
また本発明の冷蔵庫によると、ケースフレームの上壁に下面が接する支持部を収納ケースの両側面に突設したので、収納ケースの前部を下方に加重した際に、ケースフレームの上壁及び支持部によりケースレールから上方に受ける力を支持してケースフレームの変形や破損を防止することができる。
【発明を実施するための最良の形態】
【００２３】
以下に本発明の実施形態を図面を参照して説明する。図１は第１実施形態の冷蔵庫を示す斜視図である。冷蔵庫１の本体部の上部には冷蔵室２が配される。冷蔵室２の下方には左側に野菜室３が配され、右側に製氷室４及び冷凍室５が上下に並設される。本体部には回動式の扉２ａ、３ａ、４ａ、５ａが枢支され、冷蔵室２、野菜室３、製氷室４、冷凍室５はそれぞれ扉２ａ、３ａ、４ａ、５ａで開閉される。野菜室３及び冷凍室５内には貯蔵物を収納する複数の収納ケースが配されている。
【００２４】
各収納ケースは引き出し可能に構成される。図２、図３は冷凍室５及び野菜室３の上部に配された収納ケース１１の引き出し構造を示す側面図及び正面断面図である。野菜室３の両側壁には野菜室３の内部に突出する本体レール１５が前後に延びて配される。本体レール１５の上面の前端には上方に突出する凸部１５ａが形成される。本体レール１５の下面の前部には下方に突出する凸部１５ｂが形成される。
【００２５】
収納ケース１１の両側壁には前後に延びるケースフレーム１３が取り付けられる。ケースフレーム１３は収納ケース１１の内側に配されるケースホルダー１８にネジ１７で締結される。ケースフレーム１３にはケースレール１４が摺動自在に保持される。ケースレール１４は本体レール１５と摺動自在になっている。従って、ケースフレーム１３、ケースレール１４及び本体レール１５により３段構造のスライドレールが構成される。
【００２６】
図４は収納ケース１１を示す側面図である。収納ケース１１は樹脂成形品から成り、両側壁には前後に並ぶ複数のボス孔１１ｂが設けられる。各ボス孔１１ｂ間には側方に突出した格子状のリブから成る支持部１１ｃが設けられる。収納ケース１１の後部には支持部１１ｃから下方に延びた断面コ字型のリブから成る突設部１１ｄ（第１突設部）が側方に突出して設けられる。
【００２７】
収納ケース１１の側壁の前部にはリブから成る係止部１１ｅが突設される。収納ケース１１の係止部１１ｅがケースレール１４の上下の前端部１４ｄ（図７参照）に当接してケースフレーム１４が抜け止めされている。収納ケース１１の下部には前後に延びたリブから成る受け部１１ｆが突設される。受け部１１ｆには複数の係止孔１１ｇが形成されている。
【００２８】
図５はケースホルダー１８を示す側面図である。前後方向に延びるケースホルダー１８は収納ケース１１のボス孔１１ｂに嵌合される複数のボス１８ａが突設される。ボス１８ａには雌ねじが螺設されている。ケースホルダー１８の上端には収納ケース１１の内面に形成した係合突起１１ｈ（図８参照）に係合する係合爪１８ｂが設けられる。ケースホルダー１８の下端には収納ケース１１の内面に形成した係合突起１１ｊ（図８参照）に係合する係合爪１８ｃが設けられる。
【００２９】
図６はケースフレーム１３を示す側面図である。前後方向に延びるケースフレーム１３の上部には複数の挿通孔１３ａが設けられる。挿通孔１３ａに挿通されるネジ１７（図３参照）がケースホルダー１８のボス１８ａ（図５参照）に設けた雌ねじと螺合される。
【００３０】
ケースフレーム１３の下部にはケースレール１４を保持する溝形状の保持部１３ｆが設けられる。保持部１３ｆはケースレール１４の上下面と摺動する上壁１３ｄ及び下壁１３ｅが突設される。下壁１３ｅは収納ケース１１の受け部１１ｆに載置され、係止孔１１ｇに係合する複数の係止爪１３ｇが下方に突出して設けられる。
【００３１】
保持部１３ｆの後部には収納ケース１１の突設部１１ｄが挿通される孔部１３ｃが設けられる。孔部１３ｃの後方にはリブから成る突設部１３ｂ（第２突設部）が突設される。突設部１３ｂは保持部１３ｆの溝の底面よりも突出して設けられる。
【００３２】
図７はケースレール１４を示す側面図である。ケースレール１４には本体レール１５が摺動する溝部１４ｅが前後に延びて形成される。溝部１４ｅの前端は遮蔽部１４ｆにより遮蔽される。ケースレール１４が後方に摺動移動して遮蔽部１４ｆが本体レール１５の前端に当接するとケースレール１４がそれ以上後方に移動できなくなる。従って、本体レール１５の前端及び遮蔽部１４ｆはケースレール１４の後端位置を位置決めするストッパ部を構成する。
【００３３】
溝部１４ｅの下面後端には上方に向けて溝内に突出する凸部１４ｂが形成される。凸部１４ｂの前方には溝部１４ｅの上面から下方に向けて溝内に突出する凸部１４ａが形成される。ケースレール１４が前方に摺動移動して凸部１４ａ、１４ｂが本体レール１５の凸部１５ａ、１５ｂに当接すると、ケースレール１４がそれ以上前方に移動できなくなる。従って、本体レール１５の凸部１５ａ、１５ｂ及びケースレール１４の凸部１４ａ、１４ｂはケースレール１４の前端位置を位置決めするストッパ部（第１ストッパ部）を構成する。
【００３４】
ケースレール１４の前部には突起部１４ｃが収納ケース１１側に向けて突設される。収納ケース１１を前方に引き出して収納ケースの突設部１１ｄ（図４参照）が突起部１４ｃに当接すると、ケースフレーム１３と一体の収納ケース１１がそれ以上前方に移動できなくなる。従って、突設部１１ｄ及び突起部１４ｃはケースフレーム１３の前端位置を位置決めするストッパ部（第２ストッパ部）を構成する。
【００３５】
図８はケースフレーム１３の取付け状態を示す正面断面図である。ケースフレーム１３の保持部１３ｆには前方からケースレール１４が挿入される。ケースフレーム１３の下壁１３ｅは収納ケース１１の受け部１１ｆに載置され、係止爪１３ｇが係止孔１１ｇに挿入される。
【００３６】
ケースホルダー１８は収納ケース１１の内面から係合爪１８ａ、１８ｂが係合突起１１ｈ、１１ｊに係合し、ボス１８ａがボス孔１１ｂに挿通される。そして、ネジ１７が挿通孔１３ａを介してボス１８ａの雌ねじに螺合される。これにより、ケースフレーム１３が収納ケース１１に取り付けられる。
【００３７】
図９は収納ケース１１を前方に引き出した状態を示す側面図である。収納ケース１１を前方に引くと、ケースフレーム１３の保持部１３ｆがケースレール１４と摺動する。図１０の側面断面図に示すように、収納ケース１１の突設部１１ｄ（第１突設部）はケースレール１４の突起部１４ｃに当接し、突設部１１ｄ及び突起部１４ｃから成るストッパ部（第２ストッパ部）でケースフレーム１３の前端位置が位置決めされる。
【００３８】
更に収納ケース１１を前方に引くと、ケースレール１４の溝部１４ｅが本体レール１５と摺動し、凸部１４ａ、１４ｂ及び凸部１５ａ、１５ｂから成るストッパ部（第１ストッパ部）でケースレール１４の前端位置が位置決めされる。これにより、収納ケース１１が前端位置に配置される。
【００３９】
この時、本体レール１５とケースレール１４とが摺動可能な距離とケースレール１４とケースフレーム１３とが摺動可能な距離との合計の距離だけ収納ケース１１を引き出すことができる。これにより、収納ケース１１を後端まで引き出すことができ、収納ケース１１の内部の視認性が向上する。特に、野菜室３や冷凍室５の上部に配される収納ケース１１は冷蔵室２や製氷室４との仕切壁の直ぐ下に設けられるため、視認性が低下し易い。このため、本実施形態により収納ケース１１の視認性を向上して冷蔵庫１の利便性を向上させることができる。
【００４０】
収納ケース１１を引き出した状態で前部が下方に加重されると、ケースフレーム１３の保持部１３ｆの上壁１３ｄにはケースレール１４から上方に力が加わる。この時、上壁１３ｄに接した支持部１１ｃを設けているので、ケースレール１４からの力を上壁１３ｄ及び支持部１１ｃで支持することができる。従って、ケースフレーム１３は強度が向上して変形や破損を防止することができる。
【００４１】
次に、収納ケース１１の突設部１１ｄを除去すると収納ケース１１と異なる引き出し量にすることができる。図１１は、突設部１１ｄが設けられない収納ケース１２を前方に引き出した状態を示す側面図である。収納ケース１２を前方に引くと、ケースフレーム１３の保持部１３ｆがケースレール１４と摺動する。図１２の側面断面図に示すように、ケースフレーム１３の突設部１３ｂ（第２突設部）はケースレール１４の突起部１４ｃに当接し、突設部１３ｂ及び突起部１４ｃから成るストッパ部（第２ストッパ部）でケースフレーム１３の前端位置が位置決めされる。
【００４２】
更に収納ケース１２を前方に引くと、ケースレール１４の溝部１４ｅが本体レール１５と摺動し、凸部１４ａ、１４ｂ及び凸部１５ａ、１５ｂから成るストッパ部（第１ストッパ部）でケースレール１４の前端位置が位置決めされる。これにより、収納ケース１１が前端位置に配置される。
【００４３】
従って、ケースフレーム１３の前端位置を位置決めするストッパ部（第２ストッパ部）の位置を容易に可変し、スライド距離の異なる収納ケース１１、１２に対して同じスライドレールを用いることができる。このため、機種の異なる冷蔵庫について部品を共通化してコスト削減を図ることができる。また、同じ冷蔵庫１内で同じスライドレールを用いてスライド距離の異なる収納ケース１１、１２を設けてもよい。これにより、冷蔵庫１のコスト削減を図ることができる。
【００４４】
尚、孔部１３ｃに挿通される突設部１１ｄの形状を各収納ケースで可変することにより、同じスライドレールを用いて収納ケースの引き出し量を可変することができる。また、ケースフレーム１３に設けた孔部１３ｃを前後方向に複数設け、複数の収納ケースの突設部１１ｄを引き出し量に応じて異なる配置にしてもよい。これにより、各収納ケースの突設部１１ｄは異なる位置の孔部１３ｃに挿通され、容易に収納ケースの引き出し量が可変される。
【００４５】
次に、図１３、図１４は第２実施形態の冷蔵庫の収納ケースの引き出し構造を示す側面図及び正面断面図である。説明の便宜上、前述の図１〜図１２に示す第１実施形態と同様の部分には同一の符号を付している。本実施形態は第１実施形態のケースホルダー１８（図３参照）を省いている。その他の部分は第１実施形態と同様である。
【００４６】
収納ケース１１の上部には下方に屈曲するＬ字型の取付部１１ｋが複数設けられる。取付部１１ｋにはネジ１７が挿通される挿通孔１１ｍが形成される。ケースフレーム１３の上部には取付部１１ｋの収納ケース１１側に侵入するネジ部１３ｈが設けられる。ネジ部１３ｈには雌ねじが螺設される。ケースフレーム１３は挿通孔１１ｍに挿通されるネジ１７をネジ部１３ｈに螺合して収納ケース１１に取り付けられる。
【００４７】
本実施形態によると、第１実施形態と同様の効果を得ることができるとともに、部品点数を削減することができる。
【００４８】
第１、第２実施形態において、収納ケースを扉と一体に引き出すことができるようにしてもよい。また、ケースフレーム１３、ケースレール１４または本体レール１５に一体のころを設けてもよい。これにより、より円滑に収納ケースを引き出すことができる。
【産業上の利用可能性】
【００４９】
本発明によると、引き出し式の収納ケースを有する冷蔵庫に利用することができる。
【図面の簡単な説明】
【００５０】
【図１】本発明の第１実施形態の冷蔵庫を示す正面図
【図２】本発明の第１実施形態の冷蔵庫の収納ケースの引き出し構造を示す側面図
【図３】本発明の第１実施形態の冷蔵庫の収納ケースの引き出し構造を示す正面断面図
【図４】本発明の第１実施形態の冷蔵庫の収納ケースを示す側面図
【図５】本発明の第１実施形態の冷蔵庫のケースホルダーを示す側面図
【図６】本発明の第１実施形態の冷蔵庫のケースフレームを示す側面図
【図７】本発明の第１実施形態の冷蔵庫のケースレールを示す側面図
【図８】本発明の第１実施形態の冷蔵庫のケースフレームの取付け状態を示す正面断面図
【図９】本発明の第１実施形態の冷蔵庫の収納ケースを引き出した状態を示す側面図
【図１０】本発明の第１実施形態の冷蔵庫の収納ケース及びスライドレールを示す正面断面図
【図１１】本発明の第１実施形態の冷蔵庫のスライドレールを用いた他の収納ケースを引き出した状態を示す側面図
【図１２】本発明の第１実施形態の冷蔵庫のスライドレールを用いた他の収納ケースを示す正面断面図
【図１３】本発明の第２実施形態の冷蔵庫の収納ケースの引き出し構造を示す側面図
【図１４】本発明の第２実施形態の冷蔵庫の収納ケースの引き出し構造を示す正面断面図
【符号の説明】
【００５１】
１    冷蔵庫
２    冷蔵室
３    野菜室
４    製氷室
５    冷凍室
１１、１２  収納ケース
１１ｃ  支持部
１１ｄ  突設部（第１突設部）
１１ｅ  係止部
１１ｆ  受け部
１３    ケースフレーム
１３ｂ  突設部（第２突設部）
１３ｃ  孔部
１３ｄ  上壁
１３ｆ  保持部
１３ｅ  下壁
１４    ケースレール
１４ａ、１４ｂ  凸部
１４ｃ  突起部
１４ｅ  溝部
１５    本体レール
１５ａ、１５ｂ  凸部
１８    ケースホルダー
【図１】
0004493568.tif 000002
【図２】
0004493568.tif 000003
【図３】
0004493568.tif 000004
【図４】
0004493568.tif 000005
【図５】
0004493568.tif 000006
【図６】
0004493568.tif 000007
【図７】
0004493568.tif 000008
【図８】
0004493568.tif 000009
【図９】
0004493568.tif 000010
【図１０】
0004493568.tif 000011
【図１１】
0004493568.tif 000012
【図１２】
0004493568.tif 000013
【図１３】
0004493568.tif 000014
【図１４】
0004493568.tif 000015